(57)【要約】【課題】臭気発生源が開放空間にある場合でも、容易かつ低コストに脱臭することのできる脱臭方法および脱臭材を提供する。【解決手段】臭気を発生する処理対象物の臭気を脱臭する方法であって、処理対象物にセルロースナノファイバーを含有する脱臭材を混合することによって（ステップＳ１−Ｓ２）、臭気を脱臭するようにする（ステップＳ３）。処理対象物の表層を、セルロースナノファイバーを含有する脱臭材で覆うことによって、臭気を脱臭してもよい。【選択図】図２
2018143913.tif 000002
【特許請求の範囲】
【請求項１】
臭気を発生する処理対象物の臭気を脱臭する方法であって、
処理対象物にセルロースナノファイバーを含有する脱臭材を混合することによって、臭気を脱臭することを特徴とする脱臭方法。
【請求項２】
臭気を発生する処理対象物の臭気を脱臭する方法であって、
処理対象物の表層を、セルロースナノファイバーを含有する脱臭材で覆うことによって、臭気を脱臭することを特徴とする脱臭方法。
【請求項３】
処理対象物は土壌であり、この土壌の表層を、この土壌を構成する土とセルロースナノファイバーを含有する脱臭材とを混合してなる表土、または、客土とセルロースナノファイバーを含有する脱臭材とを混合してなる表土で覆うことを特徴とする請求項１または２に記載の脱臭方法。
【請求項４】
脱臭材は、セルロースナノファイバーに吸着した臭気を分解するための臭気分解物質をさらに含有することを特徴とする請求項１〜３のいずれか一つに記載の脱臭方法。
【請求項５】
臭気を発生する処理対象物の臭気を脱臭する脱臭材であって、セルロースナノファイバーを含有することを特徴とする脱臭材。
【請求項６】
セルロースナノファイバーに吸着した臭気を分解するための臭気分解物質をさらに含有することを特徴とする請求項５に記載の脱臭材。
【発明の詳細な説明】
【技術分野】
【０００１】
本発明は、例えば臭気を発生する汚染土壌などから臭気を脱臭する脱臭方法および脱臭材に関するものである。
【背景技術】
【０００２】
従来、臭気を発生する汚染土壌等を脱臭または消臭する方法として、例えば、微生物を使用してその臭気源の分解を図る方法や、活性炭などの物理吸着を利用した方法などが知られている（例えば、特許文献１〜３を参照）。
【０００３】
一方、セルロースナノファイバーと呼ばれる素材が近年注目されている。セルロースナノファイバーは木材などから得られるセルロース繊維を機械的な処理を施してナノオーダーにまで微細化したバイオマス材料であり、植物繊維由来であることから、生産や廃棄に関する環境負荷が小さいという特長を有している。このセルロースナノファイバーは軽量で強度、耐熱性、ガスバリア性等に優れ、さらに繊維径がナノオーダーの多孔質で高い比表面積と気孔率を有するため各種分野への応用が期待されている。
【先行技術文献】
【特許文献】
【０００４】
【特許文献１】特開２００８−５５４１０号公報
【特許文献２】特開２００８−２６４７０８号公報
【特許文献３】特開２００４−８９８２２号公報
【発明の概要】
【発明が解決しようとする課題】
【０００５】
ところで、屋外等の開放空間に存在する汚染土壌等に対して、上記の従来の脱臭方法を適用する場合には、周辺環境に悪影響が及ばないように対応設備を設置する必要があり、そのための手間やコストが増大するおそれがあった。このため、臭気発生源が開放空間にある場合でも、容易かつ低コストに脱臭することのできる技術が求められていた。
【０００６】
本発明は、上記に鑑みてなされたものであって、臭気発生源が開放空間にある場合でも、容易かつ低コストに脱臭することのできる脱臭方法および脱臭材を提供することを目的とする。
【課題を解決するための手段】
【０００７】
上記した課題を解決し、目的を達成するために、本発明に係る脱臭方法は、臭気を発生する処理対象物の臭気を脱臭する方法であって、処理対象物にセルロースナノファイバーを含有する脱臭材を混合することによって、臭気を脱臭することを特徴とする。なお、セルロースナノファイバーを含有する脱臭材とは、脱臭材の成分としてセルロースナノファイバーが含まれることを意味し、セルロースナノファイバー単体やセルロースナノファイバーを水中に懸濁させた液体も含む。
【０００８】
また、本発明に係る他の脱臭方法は、臭気を発生する処理対象物の臭気を脱臭する方法であって、処理対象物の表層を、セルロースナノファイバーを含有する脱臭材で覆うことによって、臭気を脱臭することを特徴とする。
【０００９】
また、本発明に係る他の脱臭方法は、上述した発明において、処理対象物は土壌であり、この土壌の表層を、この土壌を構成する土とセルロースナノファイバーを含有する脱臭材とを混合してなる表土、または、客土とセルロースナノファイバーを含有する脱臭材とを混合してなる表土で覆うことを特徴とする。
【００１０】
また、本発明に係る他の脱臭方法は、上述した発明において、脱臭材は、セルロースナノファイバーに吸着した臭気を分解するための臭気分解物質をさらに含有することを特徴とする。
【００１１】
また、本発明に係る脱臭材は、臭気を発生する処理対象物の臭気を脱臭する脱臭材であって、セルロースナノファイバーを含有することを特徴とする。
【００１２】
また、本発明に係る他の脱臭材は、上述した発明において、セルロースナノファイバーに吸着した臭気を分解するための臭気分解物質をさらに含有することを特徴とする。
【発明の効果】
【００１３】
本発明に係る脱臭方法によれば、臭気を発生する処理対象物の臭気を脱臭する方法であって、処理対象物にセルロースナノファイバーを含有する脱臭材を混合することによって、臭気を脱臭するので、臭気発生源となる処理対象物が屋外等の開放空間にある場合でも、周辺環境への影響を防止するための対応設備を設置することなく、容易かつ低コストに脱臭することができるという効果を奏する。
【００１４】
また、本発明に係る他の脱臭方法によれば、臭気を発生する処理対象物の臭気を脱臭する方法であって、処理対象物の表層を、セルロースナノファイバーを含有する脱臭材で覆うことによって、臭気を脱臭するので、臭気発生源となる処理対象物が屋外等の開放空間にある場合でも、周辺環境への影響を防止するための対応設備を設置することなく、容易かつ低コストに脱臭することができるという効果を奏する。
【００１５】
また、本発明に係る他の脱臭方法によれば、処理対象物は土壌であり、この土壌の表層を、この土壌を構成する土とセルロースナノファイバーを含有する脱臭材とを混合してなる表土、または、客土とセルロースナノファイバーを含有する脱臭材とを混合してなる表土で覆うので、土壌からの臭気を、脱臭材を混合した表土によって容易かつ低コストに脱臭することができるという効果を奏する。
【００１６】
また、本発明に係る他の脱臭方法によれば、脱臭材は、セルロースナノファイバーに吸着した臭気を分解するための臭気分解物質をさらに含有するので、脱臭材に半永久的な脱臭効果を付与することができるという効果を奏する。
【００１７】
また、本発明に係る脱臭材によれば、臭気を発生する処理対象物の臭気を脱臭する脱臭材であって、セルロースナノファイバーを含有するので、処理対象物を容易かつ低コストに脱臭することができるという効果を奏する。
【００１８】
また、本発明に係る他の脱臭材によれば、セルロースナノファイバーに吸着した臭気を分解するための臭気分解物質をさらに含有するので、半永久的な脱臭効果を発揮することができるという効果を奏する。
【図面の簡単な説明】
【００１９】
【図１】図１は、本発明に係る脱臭方法の実施の形態を示す概略側断面図である。
【図２】図２は、本発明に係る脱臭方法の実施の形態を示す概略フローチャート図である。
【発明を実施するための形態】
【００２０】
以下に、本発明に係る脱臭方法および脱臭材の実施の形態を図面に基づいて詳細に説明する。なお、この実施の形態によりこの発明が限定されるものではない。
【００２１】
図１に示すように、本発明の実施の形態に係る脱臭方法は、汚染した土壌１（処理対象物）の臭気を脱臭する方法であって、この土壌１の表層に、セルロースナノファイバー（以下、ＣＮＦということがある。）を混合した表土２を敷設し、土壌１をＣＮＦを含む表土２で覆うものである。
【００２２】
土壌１を覆う表土２としては、例えば土壌１の表層の土にＣＮＦを含有する脱臭材を混合した土や、客土にＣＮＦを含有する脱臭材を混合した土などを用いることができる。なお、ＣＮＦを含有する脱臭材を土に混合する代わりに、ＣＮＦを単独で土に混合してもよい。
【００２３】
ＣＮＦは、繊維径がナノオーダーの多孔質材料で高い比表面積と気孔率を有するため、土壌１からの臭気は、表土に含まれるＣＮＦ内部の繊維質に効果的に吸着または封じ込められる。これにより、土壌１の表層から外部に臭気が放出することを抑制して脱臭する。
【００２４】
次に、上記の方法に適用する脱臭プロセスの一例について説明する。図２に示すように、まず、土壌１から発生する臭気に応じたＣＮＦの必要量を計算する（ステップＳ１）。これに加えて表土２の厚さを計算してもよい。続いて、計算した必要量のＣＮＦを所定の土に混合する（ステップＳ２）。この場合、必要量のＣＮＦを含有する脱臭材を混合してもよい。こうして得られた混合物を表土２として土壌１の上に敷設する。表土２に含まれるＣＮＦに土壌１から発生する臭気を吸着させ、脱臭処理を行う（ステップＳ３）。
【００２５】
このように、上記の方法によれば、土壌１の表層にＣＮＦを含有する表土２を敷設すればよいので、微生物や活性炭を利用する上記の従来の脱臭方法と比較して、処理工程を大幅に簡素化でき、また、あらゆる条件下にて脱臭を速やかに実施することができる。したがって、臭気発生源となる土壌１が屋外等の開放空間にある場合でも、周辺環境への影響を防止するための対応設備を設置することなく、容易かつ低コストに脱臭することができる。また、周辺住民等への影響を軽減することが可能となる。
【００２６】
また、上記の方法によれば、土壌１から溶出のおそれのある重金属類はＣＮＦ内部の繊維質に吸着または封じ込められるので、土壌１に含まれる重金属類の溶出抑制にも貢献することができる。
【００２７】
なお、ＣＮＦの混合量や表土２の厚さ等については、あらかじめ実験等により、ＣＮＦの混合量や表土２の厚さと、脱臭対象の土壌１から放出される臭気の臭気強度や臭気指数に対する脱臭効果の関係を把握しておき、この関係に基づいて設定することが望ましい。
【００２８】
また、土に混合する脱臭材は、ＣＮＦを含有するだけでなく、ＣＮＦに吸着した臭気を分解するための臭気分解物質をさらに含有することが望ましい。このようにすれば、ＣＮＦに吸着した臭気が分解されるので、脱臭材に半永久的な脱臭効果を付与することができる。臭気分解物質としては、例えば、ＣＮＦ表面に吸着した臭気を光触媒作用により分解する酸化チタンなどの光触媒物質を用いることができる。これにより半永久的な脱臭効果が期待できる。
【００２９】
上記の実施の形態では、脱臭対象の土壌１の上にＣＮＦを含有する表土２を敷設する場合について説明したが、本発明はこれに限るものではない。例えば、ＣＮＦを含有する脱臭材を脱臭対象の土壌１の全体に混合撹拌してもよい。このようにしても、土壌１の臭気を脱臭することができる。
【００３０】
また、上記の実施の形態では、脱臭対象の処理対象物が土壌である場合を例にとり説明したが、本発明の処理対象物はこれに限るものではない。本発明は臭気を発生する対象物であればいかなる物にも適用可能であり、例えば埋立処分される廃棄物に適用してもよい。この場合、埋立処分された廃棄物の表層に、ＣＮＦを含有する脱臭材を混合した表土や、この脱臭材からなるシート等を敷設することで、廃棄物からの臭気を脱臭することができる。
【００３１】
以上説明したように、本発明に係る脱臭方法によれば、臭気を発生する処理対象物の臭気を脱臭する方法であって、処理対象物にセルロースナノファイバーを含有する脱臭材を混合することによって、臭気を脱臭するので、臭気発生源となる処理対象物が屋外等の開放空間にある場合でも、周辺環境への影響を防止するための対応設備を設置することなく、容易かつ低コストに脱臭することができる。
【００３２】
また、本発明に係る他の脱臭方法によれば、臭気を発生する処理対象物の臭気を脱臭する方法であって、処理対象物の表層を、セルロースナノファイバーを含有する脱臭材で覆うことによって、臭気を脱臭するので、臭気発生源となる処理対象物が屋外等の開放空間にある場合でも、周辺環境への影響を防止するための対応設備を設置することなく、容易かつ低コストに脱臭することができる。
【００３３】
また、本発明に係る他の脱臭方法によれば、処理対象物は土壌であり、この土壌の表層を、この土壌を構成する土とセルロースナノファイバーを含有する脱臭材とを混合してなる表土、または、客土とセルロースナノファイバーを含有する脱臭材とを混合してなる表土で覆うので、土壌からの臭気を、脱臭材を混合した表土によって容易かつ低コストに脱臭することができる。
【００３４】
また、本発明に係る他の脱臭方法によれば、脱臭材は、セルロースナノファイバーに吸着した臭気を分解するための臭気分解物質をさらに含有するので、脱臭材に半永久的な脱臭効果を付与することができる。
【００３５】
また、本発明に係る脱臭材によれば、臭気を発生する処理対象物の臭気を脱臭する脱臭材であって、セルロースナノファイバーを含有するので、処理対象物を容易かつ低コストに脱臭することができる。
【００３６】
また、本発明に係る他の脱臭材によれば、セルロースナノファイバーに吸着した臭気を分解するための臭気分解物質をさらに含有するので、半永久的な脱臭効果を発揮することができる。
【産業上の利用可能性】
【００３７】
以上のように、本発明に係る脱臭方法および脱臭材は、臭気の脱臭に有用であり、特に、臭気発生源が開放空間にある汚染土壌等の場合でも、容易かつ低コストに脱臭するのに適している。
【符号の説明】
【００３８】
１  土壌（処理対象物）
２  表土
【図１】
2018143913.tif 000003
【図２】
2018143913.tif 000004